(57)【要約】【課題】  色・形ともにあらゆるデザインに対応でき、耐候性に優れ、軽量で作業性が良い化粧パネル付き屋根を提供することにある。【解決手段】  駅舎のホーム２８に立てられた構造柱に構造梁２３をはりめぐらせ、構造梁間に母屋２４を取り付け、屋根材２１を張り巡らせて形成し、屋根先端部の構造梁２２に化粧パネルを取り付けた化粧パネル付き屋根において、化粧パネルとして、不飽和ポリエステル樹脂とガラス繊維との層を形成し、成型加工したＦＲＰ成型パネル１を用い、屋根先端部の構造梁にある一定のピッチで取り付け用フックボルト２を差込み、Ｌ型金物３で挟み込んでナットで締め付け固定し、このＬ型金物に下端アルミ型材４をボルトにて取り付け、ＦＲＰ成型パネルの下部を下端アルミ型材に差込み、押え板５によって固定し、ＦＲＰ成型パネル１の上部を取り付け用ボルト６によって母屋に固定する。【選択図】  図１
2005120578.tif 000002
【特許請求の範囲】
【請求項１】
駅舎のホーム等に立てられた構造柱に構造梁をはりめぐらせ、前記構造梁間に母屋を取り付け、屋根材を張り巡らせて形成し、屋根先端部の構造梁に化粧パネルを取り付けた化粧パネル付き屋根において、
前記化粧パネルとして、不飽和ポリエステル樹脂とガラス繊維との層を形成し、成型加工したＦＲＰ成型パネルを用い、前記ＦＲＰ成型パネルの上部を前記母屋に固定し、前記ＦＲＰ成型パネルの下部を前記屋根先端部の構造梁に取り付けた下端アルミ型材に固定し、前記上部と前記下部をそれぞれ端部として前記ＦＲＰ成型パネルを任意にデザインした形状を成す形態とすることを特徴とする化粧パネル付き屋根。
【請求項２】
請求項１において、前記ＦＲＰ成型パネルの形状を曲面形状を成す形態とすることを特徴とする化粧パネル付き屋根。
【請求項３】
請求項１において、前記ＦＲＰ成型パネルの形状を四角段形状を成す形態とすることを特徴とする化粧パネル付き屋根。
【請求項４】
請求項１から請求項３のいずれかにおいて、前記屋根先端部の構造梁には、所定のピッチで取り付け用フックボルトを差込み、Ｌ型金物で挟み込んでナットで締め付け固定するとともに、前記Ｌ型金物に前記下端アルミ型材を取り付け、前記ＦＲＰ成型パネルを前記下端アルミ型材に差込むことを特徴とする化粧パネル付き屋根。
【発明の詳細な説明】
【技術分野】
【０００１】
本発明は、化粧パネル付き屋根に係り、特に、駅舎のホーム等に設備される屋根に取り付けられる化粧パネルに関する。
【背景技術】
【０００２】
従来から駅舎のホームには化粧パネル付き屋根が設備される。図６に、駅舎のホーム２８、線路２９、駅舎のホーム２８に設備される屋根２０およびその化粧パネルとしての石綿スレート板製破風パネル３０の見取図を示す。屋根２０は、ホーム２８に立てられた構造柱２７に構造梁２３をはりめぐらせ、この構造梁間に母屋２４を取り付け、屋根材２１を張り巡らせて形成し、更に、屋根先端部の構造梁２２には、破風パネルジョイント重ね部３１によって形成された石綿スレート板製破風パネル３０を取り付け、この石綿スレート板製破風パネル３０の下部に破風パネル取り付け下地板３２を設ける構造を成していた。
図５に、石綿スレート板製破風パネル３０の投影図を示す。石綿スレート板製破風パネル３０は、逆Ｌ字形状の形態をなし、その逆Ｌ字状の一辺が屋根材２１の一端を挾んで破風パネル取り付けボルト３３によって母屋２４に取り付られ、その逆Ｌ字状の他辺つまり下部が屋根先端部の構造梁２２に破風パネル取り付け下地板３２を挾んで取り付られる。そして、石綿スレート板製破風パネル３０は、破風パネルジョイント重ね部３１によって形成され、屋根材２１の他端を屋根材取り付けボルト２６によって母屋２４に取り付けられる。
このように、駅舎のホーム２８に設備される屋根２０の先端部に取り付けられる化粧パネルとして、従来は石綿スレート板製破風パネル３０が利用されていた。そして、この石綿スレート板の主材料は、セメントであり、逆Ｌ字形状の形態を成していた。
【発明の開示】
【発明が解決しようとする課題】
【０００３】
従来の石綿スレート板は、主材料がセメントであるため、重量が重く、また、耐酸性に弱く、酸性雨等の影響により数年で劣化してしまう。劣化すると、水を吸い込んでさらに汚れやカビなどにより黒く変色するうえ、衝撃に弱く、割れ易くなるため、何らかの衝撃により欠落のおそれも生じる。また、その欠落が発生した場合、劣化部分を交換する工事を行う必要が生じ、保守の観点から著しく不便である、という問題がある。
また、従来の石綿スレート板では、酸性雨等の影響により発生する汚れやカビなどにより黒く変色し易いため、単一規格の逆Ｌ字形状の形態にするなど、色・形ともにデザインの自由がなく、そのため、ホーム全体の景観を暗いものにする、という問題がある。
そこで、本発明の課題は、色・形ともにあらゆるデザインに対応でき、耐候性に優れ、軽量で作業性が良い化粧パネル付き屋根を提供することにある。
【課題を解決するための手段】
【０００４】
上記課題を解決するために、化粧パネル付き屋根において、化粧パネルとして、不飽和ポリエステル樹脂とガラス繊維との層を形成し、成型加工したＦＲＰ（Ｆｉｂｅｒｇｌａｓｓ  Ｒｅｉｎｆｏｒｃｅｄ  Ｐｌａｓｔｉｃｓ：ガラス繊維強化プラスチック）成型パネルを用い、ＦＲＰ成型パネルの上部を母屋に固定し、ＦＲＰ成型パネルの下部を屋根先端部の構造梁に取り付けた下端アルミ型材に固定し、前記上部と前記下部をそれぞれ端部としてＦＲＰ成型パネルを任意にデザインした形状を成す形態とする。
ここで、ＦＲＰ成型パネルの形状を曲面形状を成す形態とする。また、ＦＲＰ成型パネルの形状を四角段形状を成す形態とする。
ここで、屋根先端部の構造梁には、所定のピッチで取り付け用フックボルトを差込み、Ｌ型金物で挟み込んでナットで締め付け固定するとともに、Ｌ型金物に下端アルミ型材を取り付け、ＦＲＰ成型パネルを下端アルミ型材に差込む。
【発明の効果】
【０００５】
本発明によれば、ＦＲＰ成型パネルは、不飽和ポリエステル樹脂とガラス繊維材料として成型加工しているので、耐酸性・耐アルカリ性に優れ、長期使用による劣化が少なく、また、衝撃に強く、欠損が生じ難い、という効果を奏する。
また、重量が軽いため、施工性がよく、制約の多い状況下、例えば終電から始発までのわずかな作業時間しかない鉄道工事の状況下でも安全に作業することができる。
また、ＦＲＰ成型パネルは、不飽和ポリエステル樹脂とガラス繊維が有する特性からあらゆる形状に成型可能であり、そのため、設計者の新しい感性に基づく表現が可能であり、いろいろな美観を呈するパネル形状をデザインすることができ、個性的な製品を容易かつ自在に製作することができる。また、色について、不飽和ポリエステル樹脂を用いているので、塗装により多彩に表現することができる。
また、ＦＲＰ成型パネルの形状を曲面形状を成す形態としたので、柔らかな美観を呈し、また、四角段形状を成す形態としたので、鋭角なイメージの美観を呈するので、従来の逆Ｌ字形状の石綿スレート板製破風パネルに比し、ホーム全体の景観を著しく向上させることができる。
また、ＦＲＰ成型パネルは軽量のため、屋根先端部の構造梁に取り付ける際の取付構造を簡略化することができ、作業性を向上させることができる。
【発明を実施するための最良の形態】
【０００６】
以下、本発明を実施するための最良の形態を図面に従って詳細に説明する。
【実施例１】
【０００７】
図３は、本発明の実施例１による化粧パネル付き屋根の見取図を示す。なお、以下図６と同じ符号は同一対象物を表す。
本実施例１において、線路２９に沿う駅舎のホーム２８に設備される屋根２０は、その先端に取り付けられる化粧パネルとしてＦＲＰ成型パネル１を用いる。
ここで、ＦＲＰ（Ｆｉｂｅｒｇｌａｓｓ  Ｒｅｉｎｆｏｒｃｅｄ  Ｐｌａｓｔｉｃｓ：ガラス繊維強化プラスチック）成型パネル１は、不飽和ポリエステル樹脂をガラス繊維で補強したものであり、不飽和ポリエステル樹脂にガラス繊維を重ね合わせ、そのガラス繊維の上に更に不飽和ポリエステル樹脂を塗り、更に、この不飽和ポリエステル樹脂にガラス繊維を重ね合わせ、以下同様に、不飽和ポリエステル樹脂とガラス繊維の層を形成して成型したパネルである。
図３において、屋根２０は、ホーム２８に立てられた構造柱２７に構造梁２３をはりめぐらせ、この構造梁間に母屋２４を取り付け、屋根材２１を張り巡らせて形成し、更に、屋根先端部の構造梁２２にはＦＲＰ成型パネル１を取り付け、ＦＲＰ成型パネル１の接合部はジョイントゴム７を使用する構造を成す。
【０００８】
図１に、本実施例１のＦＲＰ成型パネル１の縦断面図を示し、、図２に、本実施例１のＦＲＰ成型パネル１の投影図を示す。
ホーム２８の屋根２０を支える屋根先端部の構造梁２２にある一定のピッチで取り付け用フックボルト２を差込み、Ｌ型金物３で挟み込んでナットで締め付け固定する。このＬ型金物３に下端アルミ型材４をボルトにて取り付ける。ＦＲＰ成型パネル１の下部を下端アルミ型材４に差込み、ＦＲＰ成型パネル１の上部は屋根２０に乗せる。取り付け用ボルト６によってその上部を屋根材２１とともに母屋２４に固定し、押え板５によってＦＲＰ成型パネル１の下部を下端アルミ型材４に固定する。ＦＲＰ成型パネル１の接合部はジョイントゴム７を使用する。母屋２４は母屋取り付けアングル２５によって構造梁２３に支える。
ここで、ＦＲＰ成型パネル１は、母屋２４に固定したその上部と下端アルミ型材４に固定したその下部をそれぞれ端部として、曲面形状を成す形態とする。
また、ＦＲＰ成型パネル１は、不飽和ポリエステル樹脂とガラス繊維とを重ね合わせて層を形成し、成型加工するので、不飽和ポリエステル樹脂とガラス繊維が有する特性からあらゆる形状に成型可能であり、本実施例１では、柔らかな美観を出すために、曲面形状を成す形態とした。
また、ＦＲＰ成型パネル１を屋根先端部の構造梁に取り付ける際、ＦＲＰ成型パネル１は軽量のため、その取付構造を取り付け用フックボルト２、Ｌ型金物３、下端アルミ型材によって形成することができるので、その取付構造を簡略化することができ、作業性を向上させることができる。
【実施例２】
【０００９】
図４は、本発明の実施例２を示す。なお、図４において、図２と同じ符号は同一対象物を表す。
本実施例２は、ＦＲＰ成型パネル１について実施例１に示す曲面形状の形態に代えて四角段形状を成す形態にすることに特徴を有する。
なお、四角段形状のＦＲＰ成型パネル１の上部を母屋２４に固定し、その下部を屋根先端部の構造梁２２に取り付けた下端アルミ型材４に固定することは、実施例１の図１及び図２と同様であるので、図示および説明を省略した。
本実施例２では、鋭角なイメージの美観を出すために、四角段形状を成す形態とした。
【００１０】
本発明の実施例１，２として、ＦＲＰ成型パネル１の形状を曲面形状、四角段形状について説明したが、本発明では、ＦＲＰ成型パネル１は、不飽和ポリエステル樹脂とガラス繊維とを重ね合わせて層を形成し、成型加工するので、不飽和ポリエステル樹脂とガラス繊維が有する特性からあらゆる形状に成型可能であり、そのため、設計者の新しい感性に基づく表現が可能であり、いろいろな美観を呈する個性的な製品を容易かつ自在に製作することができる。
また、本発明では、色について、不飽和ポリエステル樹脂を用いているので、塗装により多彩に表現することができる。
また、本発明の実施例１，２として、駅舎のホームに設備される化粧パネル付き屋根について説明したが、本発明は、商店街に設置したアーケードに設備される屋根、ビルとビルの間を結ぶ通路に設備される屋根、一般住宅用の家屋の屋根などに適用できることは、云うまでもない。
【産業上の利用可能性】
【００１１】
本発明は、化粧パネル付き屋根において、化粧パネルとして不飽和ポリエステル樹脂とガラス繊維材料とで成型加工したＦＲＰ成型パネルを用いているので、耐酸性・耐アルカリ性に優れ、長期使用による劣化が少なく、また、衝撃に強く、欠損が生じ難いパネルとして利用できる。
また、このＦＲＰ成型パネルは、重量が軽いため、施工性がよく、制約の多い状況下、例えば終電から始発までのわずかな作業時間しかない鉄道工事の状況下でも安全に作業することができるパネルとして利用できる。
また、このＦＲＰ成型パネルは、不飽和ポリエステル樹脂とガラス繊維が有する特性からあらゆる形状に成型可能であり、そのため、設計者の新しい感性に基づく表現が可能であり、いろいろな美観を呈するパネル形状をデザインすることができ、個性的な製品を容易かつ自在に製作することができるパネルとして利用できる。また、色について、不飽和ポリエステル樹脂を用いているので、塗装により多彩に表現することができるパネルとして利用できる。
また、このＦＲＰ成型パネルの形状を曲面形状を成す形態としたので、柔らかな美観を呈し、また、四角段形状を成す形態としたので、鋭角なイメージの美観を呈するので、従来の逆Ｌ字形状の石綿スレート板製破風パネルに比し、ホーム全体の景観を著しく向上させることができるパネルとして利用できる。
また、このＦＲＰ成型パネルは、軽量のため、屋根先端部の構造梁に取り付ける際の取付構造を簡略化することができ、作業性を向上させることができるパネルとして利用できる。
【図面の簡単な説明】
【００１２】
【図１】本発明の実施例１によるＦＲＰ成型パネルの縦断面図
【図２】本発明の実施例１によるＦＲＰ成型パネルの投影図
【図３】本発明の実施例１による化粧パネル付き屋根の見取図
【図４】本発明の実施例２によるＦＲＰ成型パネルの投影図
【図５】従来の石綿スレート板製破風パネルの投影図
【図６】従来の化粧パネル付き屋根の見取図
【符号の説明】
【００１３】
１…ＦＲＰ成型パネル、２…取り付けフックボルト、３…Ｌ型金物、４…下端アルミ型材、５…押え板、６…取り付けボルト、７…ジョイントゴム
２０…屋根、２１…屋根材、２２…構造梁（屋根先端部）、２３…構造梁、２４…母屋、２５…母屋取り付けアングル、２６…屋根材取り付けボルト、２７…構造柱、２８…ホーム、２９…線路、３０…石綿スレート板製破風パネル、３１…石綿スレート板製破風パネルジョイント重ね部、３２…破風パネル取り付け下地板、３３…破風パネル取り付けボルト
【図１】
2005120578.tif 000003
【図２】
2005120578.tif 000004
【図３】
2005120578.tif 000005
【図４】
2005120578.tif 000006
【図５】
2005120578.tif 000007
【図６】
2005120578.tif 000008